(57)【要約】【課題】  レーザ溶着によって生じた内部応力の解放による変形を抑制し、気密性を確保することが可能な移動物体検出装置を提供する。【解決手段】  被検出体の移動を検出する検出手段２と、検出手段２を固定したハウジング３と、ハウジング３に固定した検出手段２を覆うカバー４とを備え、ハウジング３とカバー４とをレーザ溶着した移動物体検出装置１において、カバー４に、天板部４ａと、この天板部４ａの周縁にハウジング３の外周面３ｂの一部を覆う周壁部４ｂとを設け、ハウジング３に、周壁部４ｂによって覆われている箇所に第１の封止部材であるＯリング１１が配設される第１の溝部９を設け、カバー４の周壁部４ｂに第２の封止部材であるＯリング１２を配置し、Ｏリング１２によって周壁部４ｂをハウジング３方向へ押しつけたものである。【選択図】  図１
2011169758.tif 000002
【特許請求の範囲】
【請求項１】
被検出体の移動を検出する検出手段と、前記検出手段を固定したハウジングと、前記ハウジングに固定した前記検出手段を覆うカバーとを備え、前記ハウジングと前記カバーとをレーザ溶着した移動物体検出装置において、前記カバーに、天板部と、この天板部の周縁に前記ハウジングの外周面の一部を覆う周壁部とを設け、前記ハウジングに、前記周壁部によって覆われている箇所に第１の封止部材が配設される第１の溝部を設け、前記周壁部に第２の封止部材を配置し、前記第２の封止部材によって前記周壁部を前記ハウジング方向へ押しつけたことを特徴とする移動物体検出装置。
【請求項２】
前記カバーは、前記周壁部に前記第２の封止部材を配設する第２の溝部を設けたことを特徴とする請求項１に記載の移動物体検出装置。
【請求項３】
前記第２の封止部材は、前記第１の封止部材より、前記周壁部が形成する開口に対して、同一位置あるいは、前記開口側に位置していることを特徴とする請求項１に記載の移動物体検出装置。
【請求項４】
前記カバーと前記ハウジングとのレーザ溶着部は、前記開口に対して、前記第１の封止部材より、前記カバーの奥側としたことを特徴とする請求項１または３に記載の移動物体検出装置。
【発明の詳細な説明】
【技術分野】
【０００１】
本発明は、被検出体（歯車等）の移動を検出する移動物体検出装置に関するものである。
【背景技術】
【０００２】
従来、移動物体検出装置が種々提案されており、例えば特許文献１に開示されている。斯かる移動物体検出装置は、磁気変化を検出するセンシング部を備える検出部と、外部引出し用の端子を有するコネクタ部とが一体的に樹脂によって成型されたモールド成型体とを有するものである。
【０００３】
この移動物体検出装置は、センシング部の露出された箇所を金属製のカバーで覆い、このカバーを加締め加工を施すことによって、カバーをセンサ本体に固定する構造となっている。
【０００４】
しかしながら、このような移動物体検出装置は、カバーの加締め加工が必要となり、製造工程が複雑であるだけでなく、製造コストが高いという問題を有していた。
【０００５】
この問題点を解決するものとして特許文献２に開示される移動物体検出装置が提案されている。
【０００６】
この移動物体検出装置は、円筒状のハウジングと、前記ハウジングの開口を蓋する円柱状のキャップとを備え、磁気検出素子を前記キャップに搭載し、前記ハウジングの円筒内周面と前記キャップの円柱外周面の所定部分が、レーザ溶着されてなるものであった。
【先行技術文献】
【特許文献】
【０００７】
【特許文献１】特開平１１−３２５９６１号公報
【特許文献２】特開２００６−２７５６３９号公報
【発明の概要】
【発明が解決しようとする課題】
【０００８】
しかしながら、このような移動物体検出装置は、温度変化等による環境変化によって、レーザ溶着によって、ハウジングやキャップ内部に生じた内部応力が徐々に開放されて変形が生じ、ハウジングとキャップとの気密性が不十分になるおそれがあった。
【０００９】
そこで本発明は、前述した問題点に着目し、レーザ溶着によって生じた内部応力の解放による変形を抑制し、気密性を確保することが可能な移動物体検出装置を提供する。
【課題を解決するための手段】
【００１０】
本発明は前記目的を達成するため、被検出体の移動を検出する検出手段と、前記検出手段を固定したハウジングと、前記ハウジングに固定した前記検出手段を覆うカバーとを備え、前記ハウジングと前記カバーとをレーザ溶着した移動物体検出装置において、前記カバーに、天板部と、この天板部の周縁に前記ハウジングの外周面の一部を覆う周壁部とを設け、前記ハウジングに、前記周壁部によって覆われている箇所に第１の封止部材が配設される溝部を設け、前記周壁部に第２の封止部材を配置し、前記第２の封止部材によって前記周壁部を前記ハウジング方向へ押しつけたものである。
【００１１】
また、前記カバーは、前記周壁部に前記第２の封止部材を配設する溝部を設けたものである。
【００１２】
また、前記第２の封止部材は、前記第１の封止部材より、前記周壁部が形成する開口に対して、同一位置あるいは、前記開口側に位置しているものであった。
【００１３】
また、前記カバーと前記ハウジングとのレーザ溶着部は、前記開口に対して、前記第１の封止部材より、前記カバーの奥側としたものである。
【発明の効果】
【００１４】
本発明は、レーザ溶着によって生じた内部応力の解放による変形を抑制し、気密性を確保することが可能な移動物体検出装置を提供することができる。
【図面の簡単な説明】
【００１５】
【図１】本発明の第１実施形態の移動物体検出装置の断面図。
【発明を実施するための形態】
【００１６】
本発明の移動物体検出装置１を、図１を用いて説明する。移動物体検出装置１は、被検出体の移動を検出する検出手段２と、検出手段２を固定したハウジング３と、ハウジング３に固定した検出手段２を覆うカバー４とを備えたものである。
【００１７】
検出手段２は、センシング部２ａ、回路基板２ｂ及び回路素子２ｃから構成されている。センシング部２ａは、ホールＩＣ２ａ１と磁石２ａ２とからなり、被検出体の移動を検出する。ホールＩＣ２ａ１は、回路基板２ｂの図１中下面に搭載され、カバー４に近接した状態にて配置される。ホールＩＣ２ａ１は、被検出体の移動に伴う磁力の変化を電気信号に変換し、後述する端子を介して外部に出力する。磁石２ａ２は、回路基板２ｂの図１中上面に接着剤にて固定され、ホールＩＣ２ａ１に磁場を与えるものである。
【００１８】
ハウジング３は、レーザ光を吸収する光吸収性樹脂からなり、外部引出し用の端子６を有するコネクタ部７を一体的に成型した構造体である。ハウジング３のコネクタ部７の反対側は、円柱形状であり、この円柱形状の端部３ａに凹部からなる収納部５を備えている。この収納部５に検出手段２が固定されている。また、ハウジング３は、収納部５の周囲にカバー４の後述する天板部と接する当接部８を備えている。この当接部８は、環状で切れ目なく形成されている。
【００１９】
また、ハウジング３の外周面３ｂには、環状の第１の溝部９が形成されている。この第１の溝部９が設けられた箇所は、カバー４の後述する周壁部によって覆われる箇所である。第１の溝部９は、円柱形状のハウジング３の外周面３ｂの収納部５（あるいは、当接部８）の近傍に設けられている。そして第１の溝部９には、第１の封止部材であるゴムなどの弾性部材からなるＯリング１１が、配設されている。
【００２０】
端子６は、屈曲形成された３本のリードフレームからなり、端子６の一端部６ａは、コネクタ部７から露出しており、端子６の他端部６ｂは半田によって回路基板２ｂと電気的に接続されている。
【００２１】
カバー４は、レーザ光を透過する光透過性樹脂からなり、本実施形態では、カバー４は、円盤形状の天板部４ａと、この天板部４ａから連続した円筒形状の周壁部４ｂとを備え、開口４ｃを有するカップ形状である。
【００２２】
カバー４は、ハウジング３に固定した検出手段２を覆うものであり、天板部４ａが収納部５を覆い、周壁部４ｂがハウジング３の円柱形状の外周面３ｂの一部を覆うものである。なお、周壁部４ｂは、Ｏリング１１を配設した第１の溝部９を覆っている。また、カバー４は、周壁部４ｂの外側の全周に第２の溝部１０を形成し、第２の封止部材であるゴムなどの弾性部材からなるＯリング１２が、第２の溝部１０に装着されている。
【００２３】
第２の溝部１０にＯリング１２を配設し、Ｏリング１２の弾性によって周壁部４ｂをハウジング３方向へ押しつけることによって、内部応力によるカバー体の変形を抑制し、ハウジング３の第１の溝部９に配設されたＯリング１１と、カバー４の周壁部４ｂとの密着性を高め、気密性を確保している。
【００２４】
ハウジング３とカバー４とは、レーザ溶着によって固定されている。レーザが、カバー４を透過し、ハウジング３がレーザを吸収して、ハウジング３の当接部８とカバー４の天板部４ａとの接触部分が発熱して、この接触部分の温度を上げ、ハウジング３とカバー４を溶かして固定するものである。１３は、ハウジング３とカバー４が溶着した溶着部である。
【００２５】
以上のように、Ｏリング１２が、カバー４の開口４ｃに対して、Ｏリング１１より開口４ｃ側に位置していることによって、より一層、内部応力による変形を抑制し、ハウジング３の第１の溝部９に配設されたＯリング１１と、カバー４の周壁部４ｂとの密着性を高め、気密性を確保することができる。
【００２６】
なお、Ｏリング１２とＯリング１１との位置関係は、カバー４の開口４ｃに対して、同一位置であってもよい。
【００２７】
カバー４とハウジング３とのレーザ溶着部１３は、カバー４の開口４ｃに対して、Ｏリング１１より、カバー４の奥側としたものである。このように構成したことによって、Ｏリング１１にて、Ｏリング１１とカバー４の周壁部４ｂとの密着性を高め、気密性を確保することができる。
【産業上の利用可能性】
【００２８】
本発明は、検出手段をハウジングとカバーで収納した移動物体検出装置に利用可能である。
【符号の説明】
【００２９】
１    移動物体検出装置
２    検出手段
３    ハウジング
４    カバー
４ａ  天板部
４ｂ  周壁部
４ｃ  開口
９    第１の溝部
１０    第２の溝部
１１    第１の封止部材（Ｏリング）
１２    第２の封止部材（Ｏリング）
１３    レーザ溶着部
【図１】
2011169758.tif 000003